(57)【要約】【課題】  駆動モータの回転速度変化幅を縮められながらも広帯域多段の容量可変が具現できる圧縮容量を可変できる容量可変回転圧縮機を提供する。【解決手段】  異なる容積を持つ第１圧縮室と第２圧縮室を備えたハウジングと、前記第１及び第２圧縮室内で回転する回転軸と、前記第１及び第２圧縮室の内部に設けられ、前記回転軸の回転方向の変化にしたがって前記第１及び第２圧縮室のうちいずれか一方で選択的に圧縮動作がなされるようにする圧縮ユニットと、前記回転軸を正方向または逆方向に回転させながら電気的な制御を通じて回転速度を可変させられる駆動モータとを含む。【選択図】      図１
2004293552.tif 000002
【特許請求の範囲】
【請求項１】
異なる容積を持つ第１圧縮室と第２圧縮室を備えたハウジングと；
前記第１及び第２圧縮室内で回転する回転軸と；
前記第１及び第２圧縮室の内部に設けられ、前記回転軸の回転方向の変化にしたがって  前記第１及び第２圧縮室のうちいずれか一方で選択的に圧縮動作がなされるようにする圧縮ユニットと；
前記回転軸を第１方向と第２方向に回転させながら電気的な制御を通じて回転速度を可変させる駆動モータとを含む容量可変回転圧縮機。
【請求項２】
前記圧縮ユニットは、
前記第１及び第２圧縮室内にそれぞれ設けられる第１及び第２スリップと；
前記回転軸に設けられ、前記回転軸の回転方向の変化にしたがって前記第１及び第２圧縮室内部の第１及び第２スリップのうちいずれか一つを偏心状態で圧縮回転させ、残りの一つを空回転させ、相互反対に動作する第１及び第２偏心装置と；
前記各圧縮室に半径方向に進退可能に設けられた第１及び第２ベーンとを含むことを特徴とする請求項１に記載の容量可変回転圧縮機。
【請求項３】
前記駆動モータは、ＢＬＤＣモータであることを特徴とする請求項１に記載の容量可変回転圧縮機。
【請求項４】
前記駆動モータは、インバータモータであることを特徴とする請求項１に記載の容量可変回転圧縮機。
【請求項５】
前記第１及び第２偏心装置は、前記第１及び第２圧縮室の回転軸外面にそれぞれ設けられる第１及び第２偏心カムと、前記２偏心カムの外面にそれぞれ回転可能に結合される第１及び第２偏心ブッシュとを含み、前記圧縮ユニットは、前記回転軸の回転方向の変化にしたがって前記第１及び第２偏心ブッシュのうちいずれか一つは偏心され、残りの一つは偏心解除された状態でかかるようにする止め装置をさらに含むことを特徴とする請求項２に記載の容量可変回転圧縮機。
【請求項６】
前記圧縮ユニットは、前記第１及び第２偏心ブッシュの偏心方向が相互反対である前記第１及び第２偏心ブッシュを相互連結する円筒形連結部をさらに含み、前記止め装置は、前記連結部の円周方向に沿って形成される結合溝と、前記結合溝に進入してかかるように前記回転軸に結合される止めピンとを含むことを特徴とする請求項５に記載の容量可変回転圧縮機。
【請求項７】
前記第１及び第２ベーンは、前記第１及び第２圧縮室の吸入口と吐出口との間にそれぞれ設けられ、前記第１及び第２スリップの外面と接した状態で半径方向に進退することを特徴とする請求項５に記載の容量可変回転圧縮機。
【請求項８】
異なる容積を持つ第１圧縮室と第２圧縮室を備えたハウジングと；
前記２圧縮室内で回転する回転軸と；
前記各圧縮室内にそれぞれ設けられる第１及び第２スリップと；
前記回転軸の外面に設けられ、前記回転軸が第１方向に回転するとき前記第１及び第２スリップのうちいずれか一つは偏心回転しながら圧縮動作を行い、残りの一つは空回転するようにし、また、前記回転軸が第２方向に回転するとき前記第１及び第２スリップの動作が前記回転軸が第１方向に回転する時と反対となるようにする偏心装置と；
前記回転軸を第１または第２方向に回転させながら電気的な制御を通じて回転速度を可変させる駆動モータとを含む容量可変回転圧縮機。
【請求項９】
前記偏心装置は、
前記第１及び第２圧縮室の回転軸外面にそれぞれ設けられる第１及び第２偏心カムと；
前記２偏心カムの外面にそれぞれ回転可能に結合される第１及び第２偏心ブッシュと；
前記回転軸の回転方向の変化にしたがって前記第１及び第２偏心ブッシュのうちいずれか一つは偏心され、残りの一つは偏心解除された状態でかかるようにする止め装置とを含むことを特徴とする請求項８に記載の容量可変回転圧縮機。
【請求項１０】
前記第１及び第２スリップの外面と接した状態で半径方向に進退するように前記第１及び第２圧縮室の吸入口と吐出口との間にそれぞれ設けられる第１及び第２ベーンをさらに含むことを特徴とする請求項８に記載の容量可変回転圧縮機。
【請求項１１】
前記駆動モータは、ＢＬＤＣモータであることを特徴とする請求項８に記載の容量可変回転圧縮機。
【請求項１２】
前記駆動モータは、インバータモータであることを特徴とする請求項８に記載の容量可変回転圧縮機。
【発明の詳細な説明】
【技術分野】
【０００１】
本発明は、容量可変回転圧縮機に関し、さらに詳細には、冷媒の圧縮能力を広帯域多段に可変させられる容量可変回転圧縮機に関する。
【背景技術】
【０００２】
最近の空気調和装置や冷蔵庫の冷却装置は、最適の冷却を行うと同時にエネルギーを低減するため、冷却条件(冷却空間の温度など)の変化にしたがって冷却能力が可変されるようにしており、このため、冷却装置には、通常、冷媒の圧縮能力を可変させられる容量可変回転圧縮機が採用される。
【０００３】
周知の容量可変回転圧縮機は、冷媒を加圧して吐出させる圧縮装置と、圧縮装置を駆動させる駆動モータとを含む。また、この圧縮機の駆動モータには、入力電源の可変にしたがって回転速度を変化させられる通常のインバータモータやＢＬＤＣモータが採用される。この種の圧縮機は、入力電源を調節することによって圧縮装置を駆動する駆動モータの回転速度を変化させ、冷媒の圧縮能力(圧縮容量)を可変させられる構造となっている。
【０００４】
しかし、このような容量可変回転圧縮機は、単に駆動モータの回転速度を調節することによって圧縮装置の動作速度を増加または減少させる方式で冷媒の圧縮容量を可変させるものであるため、冷媒の圧縮容量を広帯域多段に調節し難い問題があった。
【０００５】
また、上記の方式で駆動される回転圧縮機は、圧縮容量を大きくするにあたり、駆動モータを高速に回転させて圧縮装置の動作速度を高めるため、その分、部品の摩耗速度も速まり、駆動モータと圧縮装置の短寿命化を招く問題があった。また、駆動モータの回転速度が急激に変化すると、それに伴って圧縮装置の運転条件も急速に変化するため、機器の動作に無理がかかってしまう。つまり、高速と低速運転における給油条件が異なってくることから時には圧縮装置への給油が円滑にされなくなる問題があった。
【発明の開示】
【発明が解決しようとする課題】
【０００６】
本発明は、上記の問題点に鑑みてなされたものであり、その目的は、駆動モータの電気的な制御を用いた容量可変に加えて圧縮装置の機構的な構造を利用した容量可変を可能にすることによって、駆動モータの回転速度変化幅を縮めながらも広帯域多段の容量可変ができる容量可変回転圧縮機を提供することにある。
【０００７】
本発明の他の目的は、駆動モータと圧縮装置に無理を与えないながらも広帯域多段の容量可変ができる容量可変回転圧縮機を提供することにある。
【課題を解決するための手段】
【０００８】
上記の目的を達成するために、本発明の一側面による容量可変回転圧縮機は、異なる容積を持つ第１圧縮室と第２圧縮室を備えたハウジングと、前記第１及び第２圧縮室内で回転する回転軸と、前記第１及び第２圧縮室の内部に設けられ、前記回転軸の回転方向の変化にしたがって前記第１及び第２圧縮室のうちいずれか一方で選択的に圧縮動作がなされるようにする圧縮ユニットと、前記回転軸を正方向または逆方向に回転させながら電気的な制御を通じて回転速度を可変させる駆動モータとを含む。
【０００９】
また、前記圧縮ユニットは、前記第１及び第２圧縮室内にそれぞれ設けられる第１及び第２スリップと、前記回転軸に設けられ、前記回転軸の回転方向の変化にしたがって前記第１及び第２圧縮室内部の第１及び第２スリップのうちいずれか一つを偏心状態で圧縮回転させ、残りの一つを空回転させるように相互反対に動作する第１及び第２偏心装置と、前記各圧縮室に半径方向に進退可能に設けられた第１及び第２ベーンとを含むことを特徴とする。
【００１０】
また、前記駆動モータは、ＢＬＤＣモータまたはインバータモータである。
【００１１】
また、前記第１及び第２偏心装置は、前記第１及び第２圧縮室の回転軸外面にそれぞれ設けられる第１及び第２偏心カムと、前記２偏心カムの外面にそれぞれ回転可能に結合される第１及び第２偏心ブッシュと、前記回転軸の回転方向の変化にしたがって前記第１及び第２偏心ブッシュのうちいずれか一つは偏心され、残りの一つは偏心解除された状態でかかるようにする止め装置とを含むことを特徴とする。
【００１２】
また、前記圧縮ユニットは、前記第１及び第２偏心ブッシュの偏心方向が相互反対である前記第１及び第２偏心ブッシュを連結する円筒形連結部をさらに含み、前記止め装置は、前記連結部の円周方向に沿って形成される結合溝と、前記結合溝に進入してかかるように前記回転軸に結合される止めピンとを含むことを特徴とする。
【００１３】
また、前記第１及び第２ベーンは、前記第１及び第２圧縮室の吸入口と吐出口との間にそれぞれ設けられ、前記第１及び第２スリップの外面と接した状態で半径方向に進退することを特徴とする。
【００１４】
また、本発明の他の側面による容量可変回転圧縮機は、異なる容積を持つ第１圧縮室と第２圧縮室を備えたハウジングと、前記２圧縮室内で回転する回転軸と、前記各圧縮室内にそれぞれ設けられる第１及び第２スリップと、前記回転軸の外面に設けられ、前記回転軸が第１方向に回転するとき前記第１及び第２スリップのうちいずれか一つは偏心回転しながら圧縮動作を行い、残りの一つは空回転するようにし、また、前記回転軸が第２方向に回転するとき前記第１及び第２スリップの動作が前記回転軸が第１方向に回転する時と反対となるようにする偏心装置と、前記回転軸を第１または第２方向に回転させながら電気的な制御を通じて回転速度を可変させる駆動モータとを含む。
【発明の効果】
【００１５】
本発明に係る容量可変回転圧縮機は、駆動モータの回転方向変更を用いた圧縮装置の機構的な容量可変に加え、電気的な制御を通じて駆動モータの回転速度を制御できるため、従来に比べて回転速度の変化幅を縮めながらも広帯域多段の容量可変が具現できる。
【００１６】
また、本発明は、駆動モータに無理を与える過度な高速や低速回転が避けられるとともに広帯域多段の容量可変が可能なため、駆動モータと圧縮装置に無理を与えず、機器の長寿命化と製品の高信頼性が図られる。
【発明を実施するための最良の形態】
【００１７】
以下、本発明の好ましい実施例を添付図面を参照しつつ詳細に説明する。図面中、同一の構成要素には可能な限り同一の参照番号または符号を共通使用し、周知技術については適宜説明を省略するものとする。
【００１８】
本発明に係る容量可変回転圧縮機は、図１に示すように、密閉容器１０の内部に設けられるものであり、回転力を発生させる上側の駆動モータ２０と、この駆動モータ２０と回転軸２１を通じて連結される下側の圧縮装置３０とを含む。
【００１９】
駆動モータ２０は、密閉容器１０の内面に固定される円筒形の固定子２２と、この固定子２２の内部に回転可能に設けられ、その中心部の回転軸２１に結合される回転子２３とを含み、回転速度の調節が可能で、正回転と逆回転可能な速度可変モータからなる。速度可変モータには、電気的な制御を通じて回転速度を可変できるインバータモータやＢＬＤＣモータを採用するといい。これは、電気的な制御を通じて回転速度を増加または減少させる方式で圧縮装置３０の動作速度を調節し、圧縮容量を可変させられるためである。
【００２０】
圧縮装置３０は、異なる容積を持つ円筒形の第１圧縮室３１と第２圧縮室３２がそれぞれ形成され、上下に配置される上部ハウジング３３ａと下部ハウジング３３ｂ、この上部ハウジング３３ａと下部ハウジング３３ｂとの間に配設されて第１及び第２圧縮室３１、３２を口画する中間板３４を含む。また、圧縮装置３０は、第１圧縮室３１の上部と第２圧縮室３２の下部を閉鎖すると同時に、回転軸２１を回転可能に支持するために上部ハウジング３３ａの上面と下部ハウジング３３ｂの下面にそれぞれ装着される上部及び下部フランジ３５、３６を含む。
【００２１】
また、圧縮装置３０は、第１及び第２圧縮室３１、３２内に設けられ、回転軸２１が回転するとき第１及び第２圧縮室３１、３２で圧縮動作が行われるようにするものの、回転軸２１の回転方向の変化にしたがって第１及び第２圧縮室３１、３２のうちいずれか一方でのみ圧縮動作が行われるようにする圧縮ユニットを備える。この圧縮ユニットは、図２ないし図４に示すように、第１圧縮室３１と第２圧縮室３２内の回転軸２１にそれぞれ設置される上部の第１偏心装置４０及び下部の第２偏心装置５０と、これら偏心装置４０、５０の外面にそれぞれ回転可能に設けられる第１スリップ３７及び第２スリップ３８とを含む。また、各圧縮室３１、３２の吸入口６３、６４と吐出口６５、６６との間に半径方向に進退可能に設けられて各スリップ３７、３８の外面と接した状態で圧縮動作がなされるようにする第１ベーン６１と第２ベーン６２を含む。ここで、第１及び第２ベーン６１、６２はそれぞれ、第１及び第２ベーンばね６１ａ、６２ａにより支持される。第１及び第２圧縮室３１、３２の吸入口６３、６４と吐出口６５、６６はベーン６１、６２を基準に相対向する位置に配設される。
【００２２】
第１及び第２偏心装置４０、５０は、各圧縮室３１、３２に対応する位置の回転軸２１外面に同方向に偏心するように形成される第１偏心カム４１と第２偏心カム５１を含み、この第１及び第２偏心カム４１、５１の外面に回転可能に結合される上部の第１偏心ブッシュ４２と下部の第２偏心ブッシュ５２を含む。ここで、上部の第１偏心ブッシュ４２と下部の第２偏心ブッシュ５２は、図２に示すように、円筒形状の連結部４３を介して一体に連結され、偏心方向は相互反対となるように配置される。そして、第１及び第２スリップ３７、３８は、第１及び第２偏心ブッシュ４２、５２の外面にそれぞれ回転可能に結合される。
【００２３】
また、図２に示すように、第１偏心カム４１と第２偏心カム５１との間の回転軸２１外面には偏心カム４１、５１と同形態に偏心された偏心部４４が設けられ、この偏心部４４と連結部４３との間には回転軸２１の回転方向の変化にしたがって第１及び第２偏心ブッシュ４２、５２を回転軸２１と偏心状態に回転させたり、偏心が解除された状態に回転させたりする止め装置８０が設けられる。この止め装置８０は、偏心部４４の一側外面に形成される平面部に突出するようにねじ結合される止めピン８１と、回転軸２１の回転にしたがって止めピン８１が偏心ブッシュ４２、５２の偏心位置と偏心解除位置でそれぞれかかるように連結部４３の円周方向に沿って長く形成される結合溝８２を含む。この構成によれば、回転軸２１に結合された止めピン８１が連結部４３の結合溝８２に進入した状態で回転軸２１の回転にしたがって所定区間回動して結合溝８２の両端部８２ａ、８２ｂのうちいずれか一方にかかり、これにより、第１及び第２偏心ブッシュ４２、５２が回転軸２１とともに回転できるようになる。且つ、止めピン８１が結合溝８２の両端部８２ａ、８２ｂのうちいずれか一方にかかるとき、第１及び第２偏心ブッシュ４２、５２のいずれか一つは偏心した状態になり、残りの一つは偏心解除された状態になるので、第１及び第２圧縮室３１、３２のうちいずれか一方では圧縮動作がなされ、残りの一方では空回転がなされる。勿論、回転軸２１の回転方向が変わると、第１及び第２偏心ブッシュ４２、５２の偏心状態も反対となる。
【００２４】
また、本発明に係る容量可変回転圧縮機は、図１に示すように、吸入配管６９の冷媒が第１圧縮室３１の吸入口６３と第２圧縮室３２の吸入口６４のうち、圧縮動作が行われる吸入口側にのみ冷媒が吸入されるように吸入流路を可変させる流路可変装置７０を備える。
【００２５】
この流路可変装置７０は、円筒形の胴体部７１と、胴体部７１内に設けられるバルブ装置を含む。ここで、胴体部７１の上部中央の入口７２には吸入配管６９が連結され、胴体部７１の下部両側の第１出口７３と第２出口７４には第１圧縮室３１の吸入口６３と第２圧縮室３２の吸入口６４にそれぞれ連結される第１及び第２配管６７、６８が連結される。胴体部７１内部のバルブ装置は、中央に設けられる円筒形のバルブシート７５、このバルブシート７５両端を開閉するために胴体部７１の両側内部に進退可能に設けられる第１開閉部材７６と第２開閉部材７７、そして第１及び第２開閉部材７６、７７が一緒に動くように第１及び第２開閉部材７６、７７をお互い連結する連結部材７８から構成される。このように構成される流路可変装置７０では、第１圧縮室３１と第２圧縮室３２のうちいずれか一方で圧縮動作が行われるとき、第１及び第２出口７３、７４側に作用する圧力差により胴体部７１の内部の第１開閉部材７６と第２開閉部材７７が圧力の低い側に移動しながら自動で吸入流路を転換する。
【００２６】
次に、このように構成される容量可変回転圧縮機の回転軸回転方向の変化による圧縮装置の機構的な容量可変動作について説明する。
【００２７】
図３に示すように、回転軸２１が第１方向(反時計方向)に回転する場合は、第１圧縮室３１の第１偏心ブッシュ４２の外面が回転軸２１と偏心された状態で止めピン８１が結合溝８２の一端にかかった状態になるので、第１スリップ３７が第１圧縮室３１の内面と接して回転しながら第１圧縮室３１の圧縮動作がなされる。この時、第２圧縮室３２は、図４に示すように、第２偏心ブッシュ５２の外面が回転軸２１と同心を持つ状態になり、第２スリップ３８が第２圧縮室３２の内面から離隔された状態になるので空回転がなされる。また、第１圧縮室３１で圧縮動作がなされると、流路可変装置７０の動作により第１圧縮室３１の吸入口６３側にのみ冷媒が吸入される。
【００２８】
このような動作は、第１偏心カム４１と第２偏心カム５１が同方向に偏心され、第１偏心ブッシュ４２と第２偏心ブッシュ５２は相互反対の方向に偏心される構造であるゆえに可能である。つまり、第１偏心カム４１の最大偏心部と第１偏心ブッシュ４２の最大偏心部の方向が一致するとき、第２偏心カム５１の最大偏心部と第２偏心ブッシュ５２の最大偏心部の方向は相互反対になるためである。
【００２９】
一方、駆動モータ２０の回転速度は上記の場合におけると同一であり、回転軸２１が上記の場合と反対である第２方向(時計方向)に回転する場合には、図５に示すように、第１圧縮室３１の第１偏心ブッシュ４２の外面が回転軸２１と偏心解除された状態で止めピン８１が結合溝８２の他端にかかった状態になり、第１スリップ３７が第１圧縮室３１の内面から離隔された状態で回転するので第１圧縮室３１では空回転がなされる。この時、第２圧縮室３２では圧縮動作がなされる。つまり、図６に示すように、第２偏心ブッシュ５２の外面が回転軸２１と偏心した状態になり、第２スリップ３８が第２圧縮室３２の内面と接して回転する状態となるので、第２圧縮室３２では圧縮動作が行われる。また、第２圧縮室３２で圧縮動作がなされると、流路可変装置７０の動作により第２圧縮室３２側にのみ冷媒が吸入される。
【００３０】
このように、本発明は、回転軸２１の回転方向を変更するだけでも圧縮装置３０の機構的な動作により容量可変が可能になる。つまり、回転軸２１が第２方向に回転して第２圧縮室３２で圧縮動作がなされる場合には第２圧縮室３２が第１圧縮室３１に比べて小さいため、駆動モータ２０が同速度で回転しても圧縮容量がそれだけ少なくなる。例えば、第２圧縮室３２の容積を第１圧縮室３１容積の５０％にすると、回転速度が同一な状態で第２圧縮室３２の圧縮容量は第１圧縮室３１の５０％となる。
【００３１】
また、本発明は、上述した圧縮装置３０の機構的な容量可変に加えて、駆動モータ２０の回転速度制御を通じた容量可変を同時に行うことによって圧縮容量の可変範囲を広帯域多段に調節することができる。つまり、駆動モータ２０の回転方向を可変させると同時に、駆動モータ２０に印加される入力電源の周波数を２０Hz〜１２０Hz範囲に可変しながら回転速度を調節することによって圧縮容量の可変範囲を広帯域にすることができる。
【００３２】
例えば、第２圧縮室３２の容積を第１圧縮室３１容積の５０％にし、駆動モータ２０に印加される入力電源の周波数を２０Hz、６０Hz、１２０Hzに調節して回転速度がそれぞれ低速、中速、高速となるようにし、また、回転方向を第１または第２方向に調節すると、図７の表に示すような広帯域多段の容量可変が具現可能になる。ここで、図７の結果は、駆動モータ２０が第１方向に回転して第１圧縮室３１で圧縮動作がなされ、且つ、回転速度が中速(６０Hz)である場合の圧縮容量を１００％に想定した時、各運転条件における相対的圧縮容量変化を示したものである。
【００３３】
図７に示すように、第１例は、駆動モータ２０が第１方向(反時計方向、図３参照)に回転して第１圧縮室３１で圧縮動作がなされるようにし、また、回転速度を低速(２０Hz)に調節した場合であり、この時の圧縮容量は第２例の３３％となる。
【００３４】
第２例は、駆動モータ２０が第１方向に回転して第１圧縮室３１で圧縮動作がなされるようにし、回転速度を中速(６０Hz)に調節した場合であり、この時の圧縮容量は１００％となる。
【００３５】
第３例は、駆動モータ２０が第１方向に回転して第１圧縮室３１で圧縮動作がなされるようにし、回転速度を高速(１２０Hz)に調節した場合であり、この時の圧縮容量は第２例の２００％となる。
【００３６】
第４例は、駆動モータ２０が第２方向(時計方向、図６参照)に回転して第２圧縮室３２で圧縮動作がなされるようにし、回転速度を低速(２０Hz)に調節した場合であり、この時の圧縮容量は第２例の１６.６％となる。
【００３７】
第５例は、駆動モータ２０が第２方向に回転して第２圧縮室３２で圧縮動作がなされるようにし、回転速度を中速(６０Hz)に調節した場合であり、この時の圧縮容量は第２例の５０％される。
【００３８】
第６例は、駆動モータ２０が第２方向に回転して第２圧縮室３２で圧縮動作がなされるようにし、回転速度を高速(１２０Hz)に調節した場合であり、この時の圧縮容量は第２例と同様に１００％となる。
【００３９】
したがって、本発明は、駆動モータ２０の回転方向変更を用いた圧縮装置３０の機構的な容量可変に加えて電気的な制御を通じて駆動モータ２０の回転速度を制御することによって広帯域多段の容量可変が具現できる。
【００４０】
特に、本発明は、図７に示すように、第２例の条件で運転する時の圧縮容量と第６例の条件で運転する時の圧縮容量が同一であって、いずれかの運転条件を選択しても同じ結果が得られる。しかし、この場合には、駆動モータ２０の回転速度を増加させなく且つ機器に無理を与えないことから機器の寿命を延長できながらも同一の圧縮容量が得られる第２例の条件を選択することが好ましい。つまり、本発明は、同一の圧縮容量が得られる複数の運転条件のうちできるだけ駆動モータ２０と圧縮装置３０に無理を与えない条件を選択することができる。
【００４１】
また、図７には示されていないが、駆動モータ２０に印加される電源周波数を２０Hz、６０Hz、１２０Hzの他に様々に変更することによって駆動モータ２０の回転速度をより多様に調節できるが、この場合も同様に、駆動モータ２０の過度な高速回転や低速回転を避けられながらも同一の圧縮容量が得られるような制御条件を設定することによって圧縮装置３０と駆動モータ２０に無理が与えられるのを防止できる。
【図面の簡単な説明】
【００４２】
【図１】本発明に係る容量可変回転圧縮機の構成を示す縦方向断面図である。
【図２】本発明に係る容量可変回転圧縮機の偏心装置の構成を示す斜視図である。
【図３】本発明に係る容量可変回転圧縮機の回転軸が第１方向に回転するとき第１圧縮室の圧縮動作を示す断面図である。
【図４】本発明に係る容量可変回転圧縮機の回転軸が第１方向に回転するとき第２圧縮室の空回転動作を示す断面図である。
【図５】本発明に係る容量可変回転圧縮機の回転軸が第２方向に回転するとき第１圧縮室の空回転動作を示す断面図である。
【図６】本発明に係る容量可変回転圧縮機の回転軸が第２方向に回転するとき第２圧縮室の圧縮動作を示す断面図である。
【図７】本発明に係る容量可変回転圧縮機の運転条件変化による圧縮容量変化を示す表の図である。
【符号の説明】
【００４３】
１０  密閉容器
２０  駆動モータ
２１  回転軸
３１、３２  第１及び第２圧縮室
４０、５０  第１及び第２偏心装置
４１、５１  第１及び第２偏心カム
４３  連結部
４４  偏心部
４２、５２  第１及び第２偏心ブッシュ
７０  流路可変装置
８０  止め装置
【図１】
2004293552.tif 000003
【図２】
2004293552.tif 000004
【図３】
2004293552.tif 000005
【図４】
2004293552.tif 000006
【図５】
2004293552.tif 000007
【図６】
2004293552.tif 000008
【図７】
2004293552.tif 000009